【事件の表示】
　昭和６２年特許願第２１９６５８号「カメラのデータ記録装置及びデータ記録指示装置」拒絶査定に対する審判事件（平成７年５月１日出願公告、特公平７−４０１１５）について、次のとおり審決する。
【結論】
本件審判の請求は、成り立たない。
【理由】
１．手続の経緯・本願発明
　本願は昭和６２年９月２日の出願であって、その特許請求の範囲第１項及び第２項に記載された発明の要旨は、出願公告後の平成８年５月７日付け手続補正書にて補正された明細書及び図面の記載からみて、特許請求の範囲第１項及び第２項に記載された事項によって特定されるカメラのデータ記録装置及びカメラのデータ記録指示装置と認められるところ、特許請求の範囲第１項に記載された発明の要旨は、以下のとおりのものである。
　「データを記録するためのデータ記録手段と、カメラが画像を記録する領域の大きさを指示するための指示手段と、該指示手段に応答してカメラが画像を記録する領域の大きさに応じて、前記データ記録手段により記録されるデータの位置を、カメラが画像を記録する領域内の端位置近傍となるように変化させるための可変手段とを有することを特徴とするカメラのデータ記録装置。」（以下、「本願発明」という。）
　なお、出願公告後の平成１０年１１月２日付け手続補正書は、この審決と同日付けで、決定をもって却下されることとなった。
２．引用例
　これに対し、原審における拒絶査定の理由である特許異議決定で引用された特開昭６２−１０３６２５号公報（以下「引用例」という。）には、以下の事項が記載されている。
［１］（第１頁右下欄第９行目）
　「この発明はカメラの情報写し込み装置に関する。」
［２］（第２頁右上欄第９行目〜同頁右下欄第７行目、第１図（イ），（口））
「この発明は……トリミングされた画面にも日付等のデータを写し込むことができるデータ写し込み装置を提供することを目的とするものである。すなわち、この発明のデータ写し込み装置は撮影者が撮影時に決めた構図に基いてトリミングしてプリントするか否かの情報をフィルム面に記録するカメラにおいて、トリミングの有無に応じてフイルム面上に日付等のデータを写し込む複数のデータ写し込み部と、トリミングの有無を指示する指示部と、トリミングの有無の指示信号に基いて前記複数のデータ写し込み部のうちから、適切なデータ写し込み部を選択作動させる制御部とから構成されている。
　次に、この発明の構成を実施例を引用して説明すると、実施例ではデータ等の写し込み部をカメラ裏蓋に設けたものであり、第１図（イ）はその裏蓋の内側を示すものである。４１，４１ａ，４１ｂはそれぞれフイルム、パトローネ、巻取りスプールの仮想位置を示す。２６はカメラ側にある画面枠の位置を示し、画面枠の縦横に設けた４個所の凹部Ａ，Ａ，Ａ，Ａはトリミングの位置を示す切欠きであり、ここから画面枠に平行に延びた点線で囲まれた範囲３５がトリミングされるときの画面範囲となる。カメラ裏蓋にはカメラボデイ側からトリミングの指示に関連する電気信号を伝達する端子に対向して、それらの信号を受信する端子３７と、トリミングの有無をフイルムに写し込むトリミング情報写し込み部３８、トリミングしてプリントする場合とトリミングしないでプリントする場合とにそれぞれ適した位置に日付等のデータをフイルム面に写し込む日付等のデータ写し込み部３９，４０が設けられており、裏蓋の外側には第１図（口）に示すように日付等のデータ写し込みを指示するスイッチ５０が設けてある。また裏蓋内にはトリミングの有無の情報と日付等のデータ写し込みの有無に関する情報に基づいてデータ写し込み部を選択作動させる制御部があり、この制御部は日付等の写し込むデータの設定も行う。」
［３］（第４頁左上欄第８行目〜同欄第１９行目、第１図）
　「３８はトリミング情報写し込み部で、トリミングレバーを望遠にセットしたときに発せられるトリミング信号によってトリミングマーク３８ａをフイルムに焼込むものであり、１個の発光ダイオードから構成されている。また、３９はトリミングレバーを広角（標準）位置、即ち、トリミングしないときの日付データ写し込み部、４０はトリミングレバーを望遠位置、即ちトリミングするときの日付データ写し込み部で、トリミング時の日付データは引伸し倍率が大きいことを考慮してトリミングしない時の日付データよりも小さくしてある。」
［４］（第１３頁右上欄第１行目〜同欄第６行目）
　「以上、この発明の実施例について説明したが、実施例では日付等のデータ写し込み部をトリミングした画面と、トリミングしない画面との２個所に設けて選択作動させている。これを１つのデータ写し込み部をトリミングの有無に応じて所定の位置へ移動させるようにすることもできよう。」
［５］（第４頁右下欄第１行目〜同欄第１０行目、第７図）
　「第７図はこの発明の実施例のカメラで撮影したフイルムを示すもので、３５はトリミングをしたときの画面の範囲を示す。３８ａはトリミングマークで、トリミング情報写し込み部により写し込まれる。……３９ａは日付等のデータで、トリミングされていないときの表示位置、４０ａは同じく日付等のデータで、トリミングされたときの表示位置であり、データ写し込み部３９，４０により写し込まれる。」
　すなわち引用例には、上記記載事項［１］〜［４］からみて、「日付等のデータを写し込むための複数のデータ写し込み部３９，４０（１つのデータ写し込み部をトリミングの有無に応じて所定の位置へ移動させるようにすることもできる）と、カメラが画像を記録する際トリミングされない画面枠２６とトリミングされるときの画面範囲３５のいずれかを指示するためのトリミングの有無を指示する指示部（トリミングレバー）と、該指示部に応答してカメラが画像を記録する画面の範囲に応じて、前記データ写し込み部により写し込まれる日付等のデータの位置を、カメラが画像を記録する領域内の適した位置となるように変化させるためデータ写し込み部を選択作動させるか又はデータ写し込み部を移動させるための制御部を有するカメラのデータ写し込み装置。」なる発明（以下、「引用発明」という。）が記載されている。
３．対比・判断
（１）本願発明と発明とを比較する。
　引用発明における
▲１▼「日付等のデータを写し込むための複数のデータ写し込み部」、
▲２▼「カメラが画像を記録する際トリミングされない画面枠２６とトリミングされるときの画面範囲３５のいずれかを指示するためのトリミングの有無を指示する指示部」、
▲３▼「日付等のデータの位置を、カメラが画像を記録する領域内の適した位置となるように変化させるためデータ写し込み部を選択作動させるか又はデータ写し込み部を移動させる制御部」
は、本願発明の
▲１▼「データを記録するためのデータ記録手段」、
▲２▼「カメラが画像を記録する領域を指示するための指示手段」、
▲３▼データ記録手段により記録されるデータの位置を、カメラが画像を記録する領域内となるように変化させるための可変手段」
に相当する。
　そして、引用発明における「トリミングされない画面枠２６」と「トリミングされるときの画面範囲３５」は、互いに大きさが異なる画像を記録する領域であることは明らかである。
　（２）してみると、両者は、「データを記録するためのデータ記録手段と、カメラが画像を記録する領域の大きさを指示するための指示手段と、該指示手段に応答してカメラが画像を記録する領域の大きさに応じて、前記データ記録手段により記録されるデータの位置を、カメラが画像を記録する領域内となるように変化させるための可変手段とを有することを特徴とするカメラのデータ記録装置。」の点で一致し、本願発明は、データ記録手段により記録されるデータの位置を、画像を記録する領域内の「端位置近傍」と規定しているのに対して、引用発明では、該記録されるデータの位置を「端位置近傍」とするとは明示していない点で相違する。
　（３）しかし、引用例の第１図及び第７図を参照すると、データ写し込み部３９，４０及び対応するデータの表示位置３９ａ，４０ａは、それぞれ画像を記録する領域内の右上隅部及び左下隅部に描かれている。また、引用発明において「該記録されるデータの位置を画像を記録する領域内」とするだけであれば、記録されるデータの位置を変化させる必要はなく、データの写し込み部及びデータの表示位置をそれぞれ４０、４０ａの位置に固定しておけばよい。それにも関わらず引用発明においては、あえて、記録されるデータの位置を変化させているのである。これらの事項を総合すると、引用発明においては、画像を記録する領域内の適したデータの位置として、画像を記録する領域内の端位置近傍を選択するすることを前提としていたことが明らかである。
　従って、前記相違は実質的な相違ではなく、本願発明は引用例に記載された発明と認められる。
４．むすび
　以上のとおり、本願発明は引用例に記載された発明であるから、特許法第２９条第１項第３号に該当し、特許を受けることができない。
　よって、結論のとおり審決する。